(57)【特許請求の範囲】
【請求項１】
内部を第１剤用の第１収納室Ａとした容器体６と、容器体口頸部10外周に下部の装着筒部12を嵌合させてその上方へ支持筒部13を立設した支持筒部材７と、支持筒部13外周に螺動上昇可能に螺合させた外周壁20上端縁より頂壁21を延設するとともに、頂壁21裏面より支持筒部13内に周壁４を垂設し、且つ、支持筒部13外方位置に蒸散口５を穿設した昇降部材８と、昇降部材周壁４下端に周縁部を嵌着させてその上方に第２剤用の第２収納室Ｂを画成するとともに、外縁を支持筒部材７に係止可能に構成した底蓋２と、上記装着筒部12外周に下端部を回動可能に嵌合させるとともに、上部を上記外周壁20外周に相互の回動が不能に且つ外周壁20の上下動が可能に嵌合させた操作筒３とを備え、操作筒３を回動させることにより昇降部材が螺動上昇するとともに、底蓋２が外れて二剤が混合し、上記蒸散口５を介して外部と連通する如く構成したことを特徴とする二剤混合容器。
【請求項２】
内部を第１剤用の第１収納室Ａとした容器体６と、容器体口頸部10外周に嵌合させた装着筒部12上端より内方へフランジ17を延設するとともに、フランジ内側縁より上下に支持筒部13a を延設した支持筒部材7aと、支持筒部13a 内周に螺動下降可能に周壁４を螺着させた昇降部材8aと、上記支持筒部13a 下端に周縁部を嵌着させてその上方に第２剤用の第２収納室Ｂを画成した底蓋２と、上記装着筒部12外周に回動可能に下端部を嵌合させた周壁32上端縁より頂壁33を延設するとともに、頂壁33裏面を上記昇降部材周壁４上端部に気密且つ回動可能に連係させ、且つ、昇降部材8aと相互の回動が不能に且つ昇降部材8aの上下動が可能に連係させた操作筒３とを備え、操作筒３を回動させることにより昇降部材8aが螺動下降するとともに、底蓋２を押し下げ外して二剤が混合し、且つ、昇降部材周壁４外方の操作筒３に穿設した蒸散口５を介して外部と連通する如く構成したことを特徴とする二剤混合容器。
【発明の詳細な説明】
【０００１】
【発明の属する技術分野】
本発明は二剤混合容器に関し、詳しくは、液体と粉末或いは液体と顆粒或いは液体相互等の組み合わせよりなる二剤を収納、保存して使用時に混合使用するのに好適な二剤混合容器に関する。
【０００２】
【従来の技術】
第１剤と第２剤とを使用直前に混合して使用するが、混合して長時間たつと互いに反応して効力を減少する様なものがある。これらは、例えば、各剤を各々べつの容器に収納し、使用に当たっては第３の容器に各剤を注入或いは挿入し、次いで攪拌混合して使用している。従って、使用時には第３の容器が必要となり、混合、攪拌に手間を要する。
【０００３】
これらのなかで、第１剤に第２剤を混合することにより気体を発生する形態のものが知られており、これらの場合には、一般に液状の第１剤をボトルタイプの第１剤容器に収納し、粉末状の第２剤を袋状の第２剤容器に収納したものが知られている。
【０００４】
これらは、第２剤を加えた第１剤容器の上端を蒸散口を備えたキャップで閉塞し、蒸散口より気体を蒸散させる如く構成したものであり、気体の排出量の調整は行えない。
【０００５】
【発明が解決しようとする課題】
本発明は上記した点に鑑みてなされたもので、二剤を別々に且つ同時に保管することができるため、保管に便利で一方を紛失する等の虞はなく、使用に当たっては簡単な操作で二剤を混合でき、また、発生する気体の排出量の調整を行うことができる二剤混合容器を提案するものである。
【０００６】
【課題を解決するための手段】
第１の手段として、以下の通り構成した。即ち、第１剤用の第１収納室Ａと、該第１収納室Ａ上方に第１収納室Ａの開口部分を閉塞して設けるとともに、螺動昇降可能な周壁４及び離脱可能な底蓋２を備えた第２剤用の第２収納室Ｂと、外周上部に回動可能に装着するとともに、上記周壁４の螺動昇降と回動を連係させた操作筒３とを備え、操作筒３の回動による第２収納室周壁４の螺動昇降により底蓋２が外れて二剤が混合するとともに、蒸散口５が開口し、混合した二剤を収納する第１収納室内と外部とが蒸散口５を介して連通する如く構成した。
【０００７】
第２の手段として、以下の通り構成した。即ち、内部を第１剤用の第１収納室Ａとした容器体６と、容器体口頸部10外周に下部の装着筒部12を嵌合させてその上方へ支持筒部13を立設した支持筒部材７と、支持筒部13外周に螺動上昇可能に螺合させた外周壁20上端縁より頂壁21を延設するとともに、頂壁21裏面より支持筒部13内に周壁４を垂設し、且つ、支持筒部13外方位置に蒸散口５を穿設した昇降部材８と、昇降部材周壁４下端に周縁部を嵌着させてその上方に第２剤用の第２収納室Ｂを画成するとともに、外縁を支持筒部材７に係止可能に構成した底蓋２と、上記装着筒部12外周に下端部を回動可能に嵌合させるとともに、上部を上記外周壁20外周に相互の回動が不能に且つ外周壁20の上下動が可能に嵌合させた操作筒３とを備え、操作筒３を回動させることにより昇降部材が螺動上昇するとともに、底蓋２が外れて二剤が混合し、上記蒸散口５を介して外部と連通する如く構成した。
【０００８】
第３の手段として、以下の通り構成した。即ち、内部を第１剤用の第１収納室Ａとした容器体６と、容器体口頸部10外周に嵌合させた装着筒部12上端より内方へフランジ17を延設するとともに、フランジ内側縁より上下に支持筒部13a を延設した支持筒部材7aと、支持筒部13a 内周に螺動下降可能に周壁４を螺着させた昇降部材8aと、上記支持筒部13a 下端に周縁部を嵌着させてその上方に第２剤用の第２収納室Ｂを画成した底蓋２と、上記装着筒部12外周に回動可能に下端部を嵌合させた周壁32上端縁より頂壁33を延設するとともに、頂壁33裏面を上記昇降部材周壁４上端部に気密且つ回動可能に連係させ、且つ、昇降部材8aと相互の回動が不能に且つ昇降部材8aの上下動が可能に連係させた操作筒３とを備え、操作筒３を回動させることにより昇降部材8aが螺動下降するとともに、底蓋２を押し下げ外して二剤が混合し、且つ、昇降部材周壁４外方の操作筒３に穿設した蒸散口５を介して外部と連通する如く構成した。
【０００９】
【発明の実施の形態】
以下、本発明の実施の形態を図面を参照して説明する。
【００１０】
図面にある如く本発明の二剤混合容器１は、第１剤用の第１収納室Ａ上方に、第１収納室Ａの開口部分を閉塞して第２剤用の第２収納室Ｂを設けている。この第２収納室Ｂは離脱可能な底蓋２及び螺動昇降可能な周壁を備えている。また、外周上部に回動可能に装着した操作筒３の回動を第２収納室Ｂの周壁４の螺動昇降と連係させている。そして、操作筒３の回動による第１収納室周壁４の螺動昇降により底蓋２が外れて二剤が混合するとともに、蒸散口５が開口し、混合した二剤を収納する第１収納室Ａ内と外部とが蒸散口５を介して連通する如く構成している。
【００１１】
図１及び図２は操作筒３の回動により第１収納室周壁４が螺動上昇して底蓋２が外れる如く構成した例であり、また、図３及び図４は操作筒３の回動により第１収納室周壁４が螺動下降して底蓋２が外れる如く構成した例を示す。
【００１２】
図１及び図２に於いて、二剤混合容器１は、容器体６と、支持筒部材７と、昇降部材８と、上記操作筒３とを備えている。
【００１３】
容器体６は、筒状の胴部９上端より小径の口頸部10を起立しており、内部を上記第１収納室Ａとして構成している。また、口頸部10の下部外周には係止突条11を突周設している。
【００１４】
支持筒部材７は、容器体口頸部10外周に下部の装着筒部12を上方への抜け出しを防止して、また、回動を防止して嵌合させ、その上方へ支持筒部13を立設している。詳述すれば、装着筒部12の下部をやや外方へ広げてその内周面下端部に突設した係合突条14を上記係止突条11下面に乗越え係合させて上方への抜け出しを防止し、また、口頸部10外周上部及び装着筒部12内周上部にそれぞれ周方向多数の縦リブを突設してそれらを互いに係合させ、回動を防止する回り止め機構15としている。尚、装着筒部12の上部外周にも係止突条16を突周設している。
【００１５】
また、支持筒部13は、装着筒部12上端より内方へ延設するとともに、口頸部上面に下面を当接するフランジ17の内周縁より上方に立設しており、外周面には螺条18を周設している。また、フランジ17の下面より垂設したシール筒19を口頸部10内周面に液密に嵌着してこの部分からの液漏れの防止を図っている。
【００１６】
昇降部材８は、支持筒部13外周に螺動上昇可能に螺合させた外周壁20上端縁より頂壁21を延設するとともに、頂壁21裏面より支持筒部13と間隔をあけてその内方へ上記第２収納室Ｂを構成する周壁４を垂設し、その下端部に上記底蓋２を嵌着している。また、支持筒部13外方位置に上記蒸散口５を穿設している。
【００１７】
また、頂壁21下面より垂設したシール筒22を支持筒部13内周面に液密に嵌合させてこの部分からの液漏れの防止を図っている。また、外周壁20内周下部に周設した螺条23を支持筒部材７の上記螺条18と螺合させている。蒸散口５は外周壁20上端部の前後左右４箇所に正面視四角形状に穿設しており、昇降部材８の下降状態では支持筒部13により内部との連通を遮断している。
【００１８】
底蓋２は、昇降部材周壁４下端に周縁部を嵌着させてその上方に上記第２剤用の第２収納室Ｂを画成するとともに、外縁を支持筒部材７に係止可能に構成している。更に具体的にいえば、周縁部に環状の凹部24を凹設するとともに、この凹部24内に上記周壁４下端部を密に嵌着している。また、外周縁は上向きのスカート状に形成し、このスカート状部25の先端縁を支持筒部13下面に当接係止させている。
【００１９】
操作筒３は、上記装着筒部12外周に下端部を回動可能に嵌合させるとともに、上部を上記外周壁20外周に相互の回動が不能に且つ外周壁20の上下動が可能に嵌合させている。図示例では、やや大径に形成した下端部を装着筒部12の外周上部に回動可能に嵌合させるとともに、その内周面に突設した係合突条26を上記係止突条16下面に乗越え係合させて上方への抜け出し防止を図っている。また、内周上部に周方向多数突設した縦リブ27と、上記外周壁20外周下部に周方向多数突設した縦リブ28とを互いに係合させて、操作筒３と外周壁20とは相互には回動せずに、外周壁20ひいては昇降部材８が上下動する如く構成している。
【００２０】
上記の如く構成した二剤混合容器１は、第１収納室Ａに第１剤ｆを収納し、また、第２収納室Ｂに第２剤ｓを収納し、使用時に混合する。これら第１剤ｆ及び第２剤ｓは混合すると気体が発生する形態のもので、具体的には、消臭剤、芳香剤、殺虫剤等が挙げられるが、これに限られない。第１剤ｆ及び第２剤ｓは、図示例の如く液状の第１剤ｆと粉末状の第２剤ｓとの組み合わせに限らず、それぞれ液状、粉末状、顆粒状、その他種々の形態のものから選択された組み合わせが採用できる。
【００２１】
そして、図１の状態から操作筒３を所定方向に回動させることにより昇降部材８の外周壁20が同様に回動するが、この際支持筒部13外面と外周壁内面とは螺合しているため上昇する。昇降部材８が上昇するとスカート状部25と支持筒部13との係合により底蓋２が外れて図２に示す如く第１剤及び第２剤の二剤が混合して混合剤ｍを形成し気体が発生する。一方、昇降部材８の上昇に伴いその頂壁21及びシール筒22が支持筒部13から離れて上記各蒸散口５と容器体６内とが支持筒部13と周壁４との隙間を介して連通し、従って、第１収納室Ａ内と外部が連通する。各蒸散口５の開口程度は、昇降部材８を昇降させることにより調整することができ、当然閉めることもできる。
【００２２】
図３及び図４に於いて、二剤混合容器１は、容器体６と、支持筒部材7aと、昇降部材8aと、操作筒３とを備えている。
【００２３】
容器体６は、上記実施例と同様に構成している。また、支持筒部材7aは、容器体口頸部10外周に装着筒部12を上方への抜け出しを防止して、また、回動を防止して嵌合させ、その上端より内方へフランジ17を延設するとともに、フランジ17内側縁より上下に支持筒部13a を延設している。図示例に於いて、装着筒部12及びフランジ17は上記実施例と同様であり、支持筒部13a は、内周面上部に螺条18を周設している。また、フランジ17上下の下部内面を口頸部10内周面に液密に嵌着してこの部分からの液漏れの防止を図っている。
【００２４】
昇降部材8aは、支持筒部13a 内周に螺動下降可能に上記周壁４を螺着させている。また、周壁４の外周上部より、外方へ突設したフランジ壁29を介して、外周面に多数の縦リブ28a を突設した外筒部30を延設している。また、フランジ壁29下方の周壁４外周下部に周設した螺条23を支持筒部材7aの上記螺条18と螺合させている。
【００２５】
底蓋２は、支持筒部13a 下端に周縁部を嵌着させてその上方に上記第２剤用の第２収納室Ｂを画成しており、押し下げることにより下方へ外れる如く構成している。更に具体的にいえば、周縁部に環状の段部31を形成するとともに、この段部31に上記周壁４下端部を密に嵌着している。
【００２６】
操作筒３は、上記装着筒部12外周に回動可能に下端部を嵌合させた周壁32上端縁より頂壁33を延設するとともに、頂壁33裏面を上記昇降部材周壁４上端部に気密且つ回動可能に連係させ、且つ、上記昇降部材8aと相互の回動が不能に且つ昇降部材8aの上下動が可能に連係させている。図示例では、頂壁33中央部より垂設したシール筒34を昇降部材8aの周壁４内周上端に密に嵌合させている。また、下端部を装着筒部12の外周上部に回動可能に嵌合させるとともに、その内周面に突設した係合突条26を上記係止突条16下面に乗越え係合させて上方への抜け出し防止を図っている。また、内周上部に周方向多数突設した縦リブ27a と、上記外筒部30の縦リブ28a とを互いに係合させて、操作筒３と外筒部30とは互いに回動せずに、外筒部30ひいては昇降部材8aが上下動する如く構成している。
【００２７】
上記の如く構成した二剤混合容器１は、図１の実施例と同様に第１剤及び第２剤を収納する。また、図３の状態から操作筒３を所定方向に回動させることにより昇降部材8aの外筒部30が同様に回動するが、この際支持筒部13a 内周の螺条18に案内されて回動しながら下降する。昇降部材8aが下降するとその周壁４下端で底蓋２上面を押圧して底蓋２が外れ、図４に示す如く第１剤及び第２剤の二剤が混合する。一方、昇降部材8aの下降に伴いその周壁４がシール筒34から離れて上記各蒸散口５と容器体６内とが連通し、従って、第１収納室Ａ内と外部が連通する。各蒸散口５の開口程度は、昇降部材8aの上昇のさせかたにより調整することができ、当然閉めることもできる。
【００２８】
尚、上記各実施例に於いて各部材は合成樹脂により形成すると良い。
【００２９】
【発明の効果】
以上説明した如く本発明の二剤混合容器は、既述構成としたことにより、二剤を分離した状態で同時に保管することができるため、保管に便利で一方を紛失する等の虞はなく、また、使用に当たっては操作筒を回動させるという極めて簡単な操作により二剤を混合できる。
【００３０】
また、第２の手段の二剤混合容器では、蒸散口は開閉可能に構成しているため、発生する気体の排出量の調整を行うことが出来、遮断することも可能である。各部材を組み立てつつ各剤を充填することができるため、組み付け、充填作業を容易に行える。また、蒸散口を収納しておくことができるため、見栄えも良い。
【００３１】
また、第３の手段の二剤混合容器では、同様に蒸散口を開閉可能に構成しているため発生する気体の排出量の調整を行うことができ、遮断することも可能であり、同様に組み付け、充填作業を容易に行える。また、上方より押し下げて取り外すためにより確実な底蓋の取り外しを行うことができる。
【図面の簡単な説明】
【図１】本発明の一実施例を示す半断面図である。
【図２】同実施例の二剤を混合した状態の半断面図である。
【図３】本発明の他の実施例を示す半断面図である。
【図４】同実施例の二剤を混合した状態の半断面図である。
【符号の説明】
２…底蓋，３…操作筒，４…周壁，５…蒸散口，６…容器体，
７，7a…支持筒部材，８、8a…昇降部材，10…口頸部，12…装着筒部，
13，13a …支持筒部，17…フランジ，20…外周壁，21…昇降部材頂壁，
32…操作筒周壁，33…操作筒頂壁，Ａ…第１収納室，Ｂ…第２収納室
【図１】
0004094320.tif 000002
【図２】
0004094320.tif 000003
【図３】
0004094320.tif 000004
【図４】
0004094320.tif 000005